【手続補正書】
【提出日】平成21年1月1日(2009.1.1)
【手続補正１】
【補正対象書類名】特許請求の範囲
【補正対象項目名】全文
【補正方法】変更
【補正の内容】
【特許請求の範囲】
【請求項１】
開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すためのガイド用切り口を設けたことを特徴とする袋状口付き容器。
【請求項２】
開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すための切り離し用テープを設けたことを特徴とする袋状口付き容器。
【請求項３】
開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すためのガイド切り取り位置線を設けたことを特徴とする袋状口付き容器。
【請求項４】
開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すためのＵ字型ガイド切り取り位置線を設けたことを特徴とする袋状口付き容器。
【請求項５】
ガイド切り取り位置線が、少なくとも最内層フィルム層に達しないことを特徴とする請求項１・２・３及び４記載の袋状口付き容器。
【請求項６】
ガイド切り取り位置線の設定位置が、重ならないことを特徴とする請求項１・２・３及び４記載の袋状口付き容器。
【手続補正２】
【補正対象書類名】明細書
【補正対象項目名】全文
【補正方法】変更
【補正の内容】
【発明の詳細な説明】
【発明の名称】袋状口付き容器
【発明の詳細な説明】
【技術分野】
【０００１】  本発明は、主に飲料または食品その他の流動性を有する内容物を密封包装する積層フィルムまたは積層シート製の袋状口付き容器であって、内容物を飲用、又は、使用する際、容器に設けられたキャップを開き、ノズルから直接内容物をこぼすことなく、安全且つ衛生的に飲用、又は、使用することができる袋状口付き容器に関する。
【背景技術】
【０００２】  現在使用されている飲料や調味料などを密封包装する袋状口付き容器では、樹脂製の成形体によるキャップ付きノズル部を袋状容器本体に接着して取り付けてある。そのため特開２００１−５５２４５の技術の様に、一度開封してしまえば再度の密封が不可能な容器と違い何度も開閉が可能である。例えば、金属フィルムや樹脂フィルムを基材とする積層シート容器の場合は、樹脂製の成形体によるキャップ付きノズルを取り付けることにより、安全且つ容易に繰り返し内容物を使用し、または、保存することができる利点から多く使用されている。
【発明の開示】
【発明が解決しようとする課題】
【０００３】
【０００４】  しかしながら、特開２００１−５５２４５の技術の様に、ただ単に開封し使用する使い捨て容器と違い、繰り返し使用する事や携帯する事を目的に開発されたキャップ付き袋状容器は、容器本体とキャップ付きノズル部が接着により一体化している為に、廃棄の際に容器を洗浄する作業やリサイクルの分離作業がコスト高になり問題であった。【０００５】  本発明は、このような問題点を解決するためになされたものであり、その目的とするところは、飲料や調味料などを密封包装する積層フィルム製袋状口付き容器及び積層シート袋状口付き容器において、接着により容器本体と一体化しているプラスチック成形体によるキャップ付きノズル部を容器本体から容易に分離することが出来る容器を提供することにある。
【課題を解決するための手段】
【０００６】  上記の課題は、以下の本発明により解決することができる。即ち、請求項１に記載した発明は、開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すためのガイド用切り口を設けたことを特徴とする袋状口付き容器からなる。【０００７】  請求項２に記載した発明は、開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すための切り離し用テープを設けたことを特徴とする袋状口付き容器からなる。【０００８】  請求項３に記載した発明は、開閉式キャップまたは着脱式キャップを構成する取り出し口を設けた積層フィルム及び積層シート袋状口付き容器において、必要に応じて開閉式キャップまたは着脱式キャップを構成する取り出し口を袋状容器本体から切り離すためのガイド切り取り位置線を設けたことを特徴とする袋状口付き容器からなる。【０００９】  請求項４に記載した発明は、該容器にＵ字型ガイド切り取り位置線を設け、最小切り離し範囲内で容器本体からキャップ付きノズル部を分離することが出来ることを特徴とする袋状口付き容器からなる。【００１０】  請求項５に記載した発明は、容器本体の強度を保つ為に、ガイド切り取り位置線を少なくとも最内層に達しない位置に設けることを特徴とする袋状口付き容器からなる。
【発明の効果】
【００１１】  以上、詳しく説明したように、本発明によれば、飲料や調味料などの流動性を有する内容物を密封包装する袋状口付き容器であって、プラスチックの成形体などによるキャップ付きノズル部を有し、容器に充填された内容物を飲用、又は、使用する際には、容器に設けられたノズル部から、こぼすことなく安全かつ衛生的に繰り返し使用でき、使用後に容器を廃棄する際、又は、容器内に残った内容物を取り出す際にはキャップ付きノズル部を容器本体から分離する事ができる。
【技術分野】
【００１２】  本発明は、口付き容器に関し、主に飲料や調味料などの流動性を有する内容物を密封包装する積層フィルムまたは積層シート製の袋状口付き容器であって、内容物を飲用や使用する際、容器に設けられた口部から、内容物をこぼすことなく、安全且つ衛生的に繰り返し飲用または使用することのできる口付き容器に関する。
【背景技術】
【００１３】  従来、飲料や調味料などを密封包装する該袋状容器では、樹脂製の成形体によるキャップ付きノズル部を容器本体に接着して取り付けたものである。該袋状口付き容器は、キャップ付きノズル部と容器本体の材質の違いから素材ごとの分別が難しく問題であった。
【発明が解決しようとする課題】
【００１４】  しかしながら、例えば、金属フィルムを基材とする容器は、飲み口や注ぎ口として、プラスチックの成形体によるキャップ付きのノズルを固定して取り付けることにより、安全且つ容易に繰り返し使用することができるが、使用後、廃棄の際の容器の洗浄や分別を必要とするリサイクル作業での問題があった。
【００１５】  本発明は、このような問題点を解決するためになされたものであり、使用後の容器に設けられたキャップ付きノズル部を容器本体から容易に取り外す事ができる容器を提供するものであり、廃棄の際の容器の洗浄や分別を必要とするリサイクル作業でのコストダウンやゴミの減量化の課題を解決するものである。
【発明を実施するための最良の形態】
【００１６】  以下に、本発明の実施の形態について説明する。本発明の口付き容器は、
【実施例】
【００１７】  以下に、図面を用いて本発明を更に具体的に説明する。但し、本発明は、その要旨を超えない限り図面に限定されるものではない。【００１８】  図１は、本発明の口付き容器の第１実施例を示す図である。この実施例では、容器本体（１）の周囲がヒートシール部（４）によって袋状に密封され、ヒートシール部（４）の上部にノズル（３）が熱接着により容器本体（１）と一体化されている。ノズル（３）は、容器本体内に吸い込み口が伸びている。また、ノズル上部にはキャップ（２）が着脱可能に設定されている。ノズル（３）の両横には、ガイド用切り口（５）が設けられ、該ガイド用切り口（５）を基点に、容器本体（１）からキャップ付きノズル部を切り離すことが出来る。【００１９】  図２は、本発明の口付き容器の第２実施例を示す図である。この実施例では、容器本体（１）の周囲がヒートシール部（４）によって袋状に密封され、ヒートシール部（４）の上部にノズル（３）が熱接着により容器本体（１）と一体化されている。ノズル（３）には、キャップ（２）が着脱可能な状態に設定されている。ノズル（３）の周囲には、切り離し用テープ（６）が設けられ、該切り離し用テープ（６）を容器本体から剥ぎ取る事によりキャップ付きノズル部を切り離すことが出来る。【００２０】  図３は、本発明の口付き容器の第３実施例を示す図である。この実施例では、容器本体（１）の周囲がヒートシール部（４）によって袋状に密封され、ヒートシール部（４）の上部にノズル（３）が熱接着により容器本体（１）と一体化されている。ノズル（３）には、キャップ（２）が着脱可能な状態に設定されている。ノズル（３）の周囲には、Ｕ字型ガイド切り取り位置線（７）が設けられ、該Ｕ字型ガイド切り取り位置線（７）に沿って、容器本体（１）からキャップ付きノズル部を切り離すことが出来る。【００２１】  図４は、請求項６に基づいて、本発明の口付き容器の第３実施例のガイド切り取り位置線をヒートシール部（４）に設定する一例を示す図である。この実施例では、容器本体（１）の周囲がヒートシール部（４）によって袋状に密封され、ヒートシール部（４）の上部にノズル（３）が熱接着により容器本体（１）と一体化されている。ノズル（３）には、キャップ（２）が着脱可能に設定されている。ノズル（３）の周囲には、ガイド切り取り位置線が設けられ、該ガイド切り取り位置線に沿って、容器本体（１）からキャップ付きノズル部を切り離すことが出来る。【００２２】  この実施例では、容器本体（１）を形成するシートが３層構造である。ヒートシール部（４）に設定されているガイド切り取り位置線は、最外層と他の層に設けられたガイド切り取り位置線の位置がずれている。従って、容器本体（１）は、該ガイド切り取り位置線をシートに設けることで強度が損なわれ、該ガイド切り取り位置線に沿って容器本体（１）が破損する危険性を防止する。勿論、請求項５に記載した様に、ガイド切り取り位置線が少なくとも最内層フィルム層に達しないことにより容器本体（１）が破損する危険性を防止する。
【図面の簡単な説明】
【００２３】
【図１】本発明の口付き容器の第１実施例を示す図である。
【図２】本発明の口付き容器の第２実施例を示す図である。
【図３】本発明の口付き容器の第３実施例を示す図である。
【図４】本発明の口付き容器のガイド切り取り位置線の設定方法の一例を示す図である。
【符号の説明】１  容器本体２  キャップ３  ノズル４  ヒートシール部５  ガイド用切り口６  切り離し用テープ７、Ｕ字型ガイド切り取り位置線